(57)【要約】【課題】  １回の温泉浴で使用する温泉の量を少なくして、手軽に且つ安価に温泉浴を楽しむことができる入浴用着衣を提供する。【解決手段】  身体の爪先から肩部までを収容可能に構成した水密性及び柔軟性を有する着衣本体５と、着衣本体５の開口側端部に固定した浮き輪４とを備え、着衣本体５を被着するとともに着衣本体５内に温泉２１を入れた状態で、浴槽２０に張った湯２２に浸かって入浴する。【選択図】        図８
2005330620.tif 000002
【特許請求の範囲】
【請求項１】
身体の爪先から少なくとも腰部までを収容可能に構成した水密性及び柔軟性を有する着衣本体と、
前記着衣本体の開口側端部に固定した浮き輪と、
を備え、
前記着衣本体を被着するとともに着衣本体内に温泉を入れた状態で、浴槽に張った湯に浸かって入浴することを特徴とした入浴用着衣。
【請求項２】
前記浮き輪を上下に隣接して複数設けた請求項１記載の入浴用着衣。
【請求項３】
前記着衣本体の足裏部及び臀部の表面に滑止部を形成した請求項１又は２記載の入浴用着衣。
【請求項４】
前記着衣本体の上部を浴槽内の湯圧に抗して押し広げるためのリング部材を着衣本体の上部内に設けた請求項１〜３のいずれか１項記載の入浴用着衣。
【請求項５】
前記着衣本体の開口側端部に、自然状態において浮き輪の外径よりも小径なゴム輪を固定し、浮き輪を抱き込むように着衣本体の開口側端部を折り返してゴム輪により着衣本体を浮き輪に固定した請求項１〜４のいずれか１項記載の入浴用着衣。
【発明の詳細な説明】
【技術分野】
【０００１】
本発明は、家庭でも手軽に温泉浴を実現可能な入浴用着衣に関するものである。
【背景技術】
【０００２】
近年、家庭用のお風呂で、温泉浴気分を味わえるように、色々な地域の温泉成分を濃縮して粉末状になした、入浴剤が広く市販されている。
【０００３】
また、入浴剤では物足らない人のために、実際の温泉を販売する自動販売機も実施されており、利用者は、自動販売機からポリタンク等に温泉を充填して、これを家に持ち帰り、家の浴槽に入れて温泉浴を楽しめるようになした温泉の販売方法も実施されている。
【０００４】
一方、爪先から頭部或いは胸部までを収容可能で且つ水密性及び柔軟性を有する着衣を用い、この着衣を被着した状態で、浴槽に張ったお湯に浸かることで、家庭でも手軽にサウナ気分を楽しめるようになしたものも提案されている（例えば特許文献１、２参照。）。
【０００５】
【特許文献１】特開平７−３３１５０２号公報
【特許文献２】登録実用新案第３０６３５８４号公報
【発明の開示】
【発明が解決しようとする課題】
【０００６】
ところで、前記自動販売機で購入した温泉を用いて家庭で温泉浴を楽しむ場合には、浴槽を満たすだけの十分な量の温泉を家まで持ち運ぶ必要があり、しかも利用するたびに温泉を入れ替える必要があるので、温泉の輸送作業が大変煩雑なものとなり、手軽に温泉浴を楽しむことが困難であった。
【０００７】
また、浴槽に張ったお湯に入浴剤を入れて温泉気分を味わう場合でも、追い炊き機能を有さないお風呂では、湯が冷めてしまえば、入浴剤の入ったお湯を全て捨てる必要があり、あまりにも無駄の多いものであった。
【０００８】
本発明の目的は、１回の温泉浴で使用する温泉の量を少なくして、手軽に且つ安価に温泉浴を楽しむことができる入浴用着衣を提供することである。
【課題を解決するための手段】
【０００９】
本発明に係る入浴用着衣は、身体の爪先から少なくとも腰部までを収容可能に構成した水密性及び柔軟性を有する着衣本体と、前記着衣本体の開口側端部に固定した浮き輪とを備え、前記着衣本体を被着するとともに着衣本体内に温泉を入れた状態で、浴槽に張った湯に浸かって入浴するものである。
【００１０】
この入浴用着衣を使用する際には、着衣本体を着てから着衣本体内に温泉を投入した状態で入浴するか、着衣本体内に温泉を投入してから、着衣本体を着て入浴するか、着衣本体を着た状態で浴槽に張った湯に浸かり、その後着衣本体内に温泉を投入して、温泉浴を楽しむことになが、いずれにしても例えば４〜５リットルの僅かな分量の温泉で、浴槽全体に温泉を張った場合と同等の湯治効果及び温泉気分を味わうことができる。また、入浴状態で、浮き輪によって着衣本体の開口部が湯面よりも高い位置に配置されるので、浴槽内のお湯が着衣本体内へ侵入することが防止され、しかも浮き輪により囲まれた空間内に温泉の湯気が充満するので、温泉の湯気による薬効やリラクゼーション効果も十分に確保できる。
【００１１】
また、使用後は、着衣本体内の温泉だけを捨てればよいので、排水によって環境が汚染されることも少なくなるし、浴槽内のお湯は綺麗なままなので、着衣本体の洗浄等に利用したり、洗濯等で利用したりすることもできるし、追い炊き機能を有するお風呂では、浴槽内のお湯を捨てることなく何度でも使用することができ、経済的である。
【００１２】
ここで、前記浮き輪は、１つだけ設けてもよいが、上下に隣接して複数設けて、浮き輪の浮力を十分に確保しつつ、その外径を小さく設定することもできる。
【００１３】
前記着衣本体の足裏部及び臀部の表面に滑止部を形成し、浴槽内で立ったときや座ったときにおける、着衣本体の滑りを防止することも好ましい。
【００１４】
前記着衣本体の上部を浴槽内の湯圧に抗して押し広げるためのリング部材を着衣本体の上部内に設け、リング部材を下側へ移動させることで、着衣本体の上部内に腕を動かすための空間を形成したり、着衣本体内の湯面を浴槽内の湯面よりも下側へ移動させて、湯圧に伴なう息苦しさや長湯に伴なうのぼせを解消したりすることができる。
【００１５】
前記着衣本体の開口側端部に、自然状態において浮き輪の外径よりも小径なゴム輪を固定し、浮き輪を抱き込むように着衣本体の開口側端部を折り返してゴム輪により着衣本体を浮き輪に固定することもできる。
【発明の効果】
【００１６】
本発明に係る入浴用着衣によれば、着衣本体内に投入した僅かな分量の温泉だけで、浴槽全体に温泉を張った場合と同等の湯治効果及び温泉気分を味わうことができるので、安価に且つ手軽に温泉浴を楽しむことができる。また、入浴剤を用いて温泉浴や薬湯を行う場合においても、入浴剤の使用量を少なくできるので、安価に温泉浴や薬湯を利用できる。更に、浮き輪により囲まれた空間内に温泉の湯気が充満するので、温泉の湯気による薬効やリラクゼーション効果も十分に確保できる。更にまた、使用後は、着衣本体内の温泉だけを捨てればよいので、排水によって環境が汚染されることも少なくなるし、浴槽内のお湯は綺麗なままなので、着衣本体の洗浄等に利用したり、洗濯等で利用したりすることもできるし、追い炊き機能を有するお風呂では、浴槽内のお湯を捨てることなく何度でも使用することができ、経済的である。
【００１７】
ここで、前記浮き輪を上下に隣接して複数設けると、浮き輪の浮力を十分に確保しつつ、その外径を小さく設定することができ、小さいサイズの浴槽でも、無理なく温泉浴を楽しむことが可能となる。
【００１８】
前記着衣本体の足裏部及び臀部の表面に滑止部を形成すると、浴槽内で立ったときや座ったときにおける、着衣本体の滑りを防止して、安全性や入浴姿勢の安定性を高めることができる。
【００１９】
前記着衣本体の上部を浴槽内の湯圧に抗して押し広げるためのリング部材を着衣本体の上部内に設けると、リング部材を下側へ移動させることで、着衣本体の上部内に腕を動かすための空間を形成したり、着衣本体内の湯面を浴槽内の湯面よりも下側へ移動させて、湯圧に伴なう息苦しさや長湯に伴なうのぼせを解消したりすることができる。
【００２０】
前記着衣本体の開口側端部に、自然状態において浮き輪の外径よりも小径なゴム輪を固定し、浮き輪を抱き込むように着衣本体の開口側端部を折り返してゴム輪により着衣本体を浮き輪に固定すると、着衣本体の開口側端部と浮き輪とをヒートシールや接着剤などによらずに容易に固定できる。
【発明を実施するための最良の形態】
【００２１】
以下、本発明の実施例について図面を参照しながら説明する。
【００２２】
図１〜図８に示すように、入浴用着衣１は、身体を収容可能に構成した水密性及び柔軟性を有する着衣本体２と、着衣本体２の開口部３の外周側に取り付けた浮き輪４とを備えている。
【００２３】
着衣本体２には、身体の臀部から首部又は頭部までを収容可能なサイズの筒状の胴体部５と、胴体部５の下端から分岐してなり、足を収容可能なサイズの筒状の２本の足部６とを備え、胴体部５の上端部には着衣本体２内に身体を入れるための開口部３が形成されている。
【００２４】
着衣本体２は、身体の爪先から少なくとも腰部までを収容可能に構成されていればよく、本実施例では、全身浴及び半身浴ができるように、胴体部５を身体の臀部から首部又は頭部までを収容可能なサイズに構成したが、胴体部５を身体の臀部から腰部まで或いは臀部から臍までを収容可能な長さに設定して半身浴専用に構成することも可能である。また、着衣本体２の成形性を考慮して、胴体部５及び足部６を単純な略筒状に形成したが、身体により適合した形状に形成することも可能である。更に、着衣本体２に、両腕を収容可能な部分を胴体部５の途中部から左右両側へ突出状に形成することも可能である。また、胴体部５に連なる筒状の１つの足部を形成し、２本の足をこの１つの足部に挿入するように構成することもできる。
【００２５】
着衣本体２のサイズは、利用者の体型に応じて任意に設定可能であり、身長や性別等によりサイズ設定することができる。例えば、身長１７０ｃｍの成人男性用の着衣本体２においては、直径４５０ｍｍ、高さ８００ｍｍの円筒状の胴体部５を設け、幅１５０ｍｍ、長さ３００ｍｍの小判型断面で高さ８００ｍｍの足部６を設けることになる。
【００２６】
着衣本体２の素材としては、水密性及び柔軟性を有するシート状やフィルム状に成形可能なものであれば任意の素材を採用できる。例えば、天然ゴムの他、アクリルニトリル−ブタジエンゴム（ＮＢＲ）、スチレン−ブタジエンゴム（ＳＢＲ）などの合成ゴム、塩化ビニル樹脂、ポリウレタン樹脂、アクリル樹脂などの合成樹脂材料を採用できる。
【００２７】
尚、図９に示すように、着衣本体２のように、臀部及び足裏部に突起又は突条などからなる凹凸状の滑止部１０、１１を形成し、臀部の滑止部１０により浴槽内での臀部の滑りを防止して、入浴姿勢の安定性を確保できるように構成し、足裏部の滑止部１１により、浴室や浴槽における歩行の安全性を図ることが好ましい。この滑止部１０、１１は、着衣本体２の成形時に一体的に形成してもよいし、着衣本体２とは別部材で構成して着衣本体２にヒートシール等で固着してもよい。
【００２８】
着衣本体２は、折り目のない平坦なシート状に形成することもできるが、蛇腹状やその他の形状の折り目を形成して、使用後の着衣本体２を容易に且つコンパクトに折り畳むことができるように構成することもできる。
【００２９】
また、着衣本体２の内面の適所、例えば体のツボに対応する位置に突起を形成して、マッサージ効果が得られるように構成することもできる。
【００３０】
浮き輪４は、柔軟性を有するチューブ状の部材からなり、着衣本体２と同じ素材或いは異なる素材で構成され、胴体部５の上端部の外周部に一体的或いは着脱自在に設けられている。胴体部５に対して浮き輪４を一体的に設ける場合には、ヒートシールや超音波シール、接着剤などにより取り付けることになり、着脱自在に設ける場合には、面ファスナーやファスナー、クリップなどにより取り付けたり、図１０に示すように、着衣本体２の開口側端部に自然状態において、浮き輪４の外径よりも小径のゴム輪１２を設け、浮き輪４を抱き込むように着衣本体２の開口側端部を折り返してゴム輪１２により着衣本体２を浮き輪４に固定したりすることになる。但し、収納性は低下するが、浮き輪４を中空或いは中実の硬質素材で構成することも可能である。また、浮き輪４と着衣本体２との取付構造を変更する場合においても、取付構造以外の部分の形状は、前記入浴用着衣１と同形状に構成される。
【００３１】
浮き輪４には図示外の逆止弁付きの空気導入口が設けられ、入浴用着衣１を使用する際には、この空気導入口から浮き輪４内へ空気を吹き込んで膨張させ、使用後は浮き輪４内部の空気を空気導入口から排出させて、コンパクトに折り畳むことができるように構成されている。膨らませた状態では、ある程度の保形性が付与され、浴槽内のお湯の圧力では内倒れしないように構成されている。
【００３２】
浮き輪４の外径は、浴槽２０の幅よりも小さく設定され、例えば５７０ｍｍに設定されている。浮き輪４の内径は、胴体部５の直径と略同じに設定されている。
【００３３】
浮き輪４は、入浴用着衣１に１つだけ設けることも可能であるが、図１に示すように、２乃至３個を上下に隣接配置すると、十分な浮力を確保し且つ浮き輪４の内径を小さくすることなく、浮き輪４の外径を小さく設定でき、小型な浴槽２０に対しても適用できるので好ましい。また、このように浮き輪４を上下に配置することで、浮き輪４の内側の空間が大きくなって、温泉２１の湯気が溜まりやすくなり、湯気による薬効やリラクゼーション効果が得やすくなる。
【００３４】
浮き輪４の断面形状は円形であってもよいが、楕円形や小判型、方形状であってもよい。また、上下に浮き輪４を配置する場合には、上下の浮き輪４を連通させて、同時に複数の浮き輪４を膨張させたり収縮させたりできるように構成可能である。
【００３５】
次に、入浴用着衣１を用いた入浴方法について説明する。
先ず、必要量（４〜５リットル）の温泉２１と浴槽２０に張った水とを入浴に適した温度まで温める。このとき、温泉２１と浴槽２０に張った水とを別個に温めることも可能であるが、例えば必要量の温泉２１を着衣本体２内に投入した状態で、これを浴槽２０に張った水に、浮き輪４により浮かした状態でセットし、浴槽２０に張った水と温泉２１とを同時に適温まで温めることが好ましい。
【００３６】
次に、着衣本体２を着てから着衣本体２内に温泉２１を投入した状態で入浴するか、着衣本体２内に温泉２１を投入してから、着衣本体２を着て入浴するか、着衣本体２を着た状態でお湯２２に浸かり、その後着衣本体２内に温泉２１を投入して、図８に示すように、温泉浴を楽しむことになるが、いずれにしても例えば４〜５リットルの分量の温泉２１を着衣本体２に投入した状態で、体全体を温泉２１に漬けて温泉浴を楽しむことになる。また、このとき、浮き輪４により、浴槽２０内の湯２２が着衣本体２内に侵入することが防止され、また浮き輪４により温泉２１の湯気が外側へ広がることが防止されて、鼻や口から吸い込みやすくなり、湯気による薬効やリラクゼーション効果も得られることになる。
【００３７】
こうして、温泉２１を利用した後は、着衣本体２内の温泉２１を捨て、例えば浴槽２０内のお湯２２で着衣本体２内に残留する温泉２１を洗い流してから、入浴用着衣１をそのままの状態或いは内外を反転させた状態にして乾燥し、乾燥後折り畳んで収納することになる。尚、入浴用着衣１の洗浄及び乾燥は、洗浄や乾燥の作業性を向上するため、浮き輪４の空気を排出して浮き輪４を収縮させた状態で行うことが好ましい。
【００３８】
尚、前記入浴方法では、浴槽２０に入浴者の肩部までお湯２２を張って全身浴を行う入浴方法について説明したが、浴槽２０内の湯面が、例えば入浴者の腰や臍或いは胸に位置するように、浴槽２０内に入れるお湯２２の量を調整することで、半身浴を行うこともできる。
【００３９】
また、着衣本体２の両爪先部分に排水蓋を設け、例えば入浴後に入浴用着衣１をフック等に吊り下げてこの排水蓋を解放することで、着衣本体２内に投入された温泉を排水できるように構成し、排水しながら開口部３から水やお湯を投入することで、着衣本体２内を洗浄できるように構成してもよい。
【００４０】
更に、着衣本体２内に投入する温泉の量を前述のように極力少なく設定すると、着衣本体２が体に密着して、腕を動かし難くなるので、図１１に示すように、着衣本体２の胴体部５よりもやや小径の硬質素材からなるリング部材１３を着衣本体２の上部内に着脱自在に設けることができる。この場合には、着衣本体２内に装着したリング部材１３を着衣本体２内において下側へ押し下げることで、着衣本体２の上部内に腕を動かすための空間を形成したり、着衣本体２内の湯面を浴槽内の湯面よりも下側へ移動させて、湯圧に伴なう息苦しさや長湯に伴なうのぼせを解消したりすることができる。尚、このリング部材１３は、着衣本体２とは別個に設けることも可能であるが、浮き輪４よりも一定間隔下側の着衣本体２の上端近傍部に一体的に設けることも可能で、この場合には、リング部材或いはリング部材よりも下側の着衣本体２を下側に引き下げることで、リング部材を浴槽の湯面よりも下側へ移動させて、前記と同様の作用効果が得られることになる。リング部材１３の断面形状は円形でもよいが、上下方向に細長い楕円形や小判型、正方形や長方形など、任意の形状に設定することができる。また、リング部材１３の操作性を高めるため、リング部材１３に内側へ突出する取手を設けることも好ましい実施例である。
【００４１】
更にまた、本実施例では、着衣本体２内に温泉を投入する場合について説明したが、着衣本体２内にお湯及び入浴剤を投入することも可能である。
【図面の簡単な説明】
【００４２】
【図１】入浴用着衣の斜視図
【図２】入浴用着衣の正面図
【図３】入浴用着衣の側面図
【図４】入浴用着衣の平面図
【図５】入浴用着衣の底面図
【図６】図２のVI-VI線断面図
【図７】図３のVII−VII線断面図
【図８】入浴用着衣の使用方法の説明図
【図９】他の構成の入浴用着衣における、(ａ)は背面図、（ｂ）は足部の底面図
【図１０】他の構成の着衣本体に対する浮き輪の固定方法の説明図
【図１１】リング部材を用いた入浴方法の説明図
【符号の説明】
【００４３】
１      入浴用着衣    ２      着衣本体
３      開口部        ４      浮き輪
５      胴体部        ６      足部
１０    滑止部        １１    滑止部
１２    ゴム輪        １３    リング部材
２０    浴槽          ２１    温泉
２２    湯
【図１】
2005330620.tif 000003
【図２】
2005330620.tif 000004
【図３】
2005330620.tif 000005
【図４】
2005330620.tif 000006
【図５】
2005330620.tif 000007
【図６】
2005330620.tif 000008
【図７】
2005330620.tif 000009
【図８】
2005330620.tif 000010
【図９】
2005330620.tif 000011
【図１０】
2005330620.tif 000012
【図１１】
2005330620.tif 000013